(57)【要約】【課題】水平調整等の各種調整やメンテナンスを容易に行うことができ、部品点数も少なくて済む洗い場付浴槽と、この洗い場付浴槽の高さを調整するための高さ調整方法を得る。【解決手段】洗い場付浴槽１２は、洗い場部１４と、浴槽部１６を備え、さらに、これら洗い場部１４と浴槽部１６とに一体成形されたエプロン部１８を有する。エプロン部１８に設けられた開口部２８は、幅が６００ｍｍ以上で、高さが２００ｍｍ以上とされている。これにより、作業者は洗い場部１４側から浴槽部１６側に向かって、上半身を開口部２８に入り込ませて、各種の作業を行うことができる。【選択図】図２
2010035841.tif 000002
【特許請求の範囲】
【請求項１】
浴槽が備えられた浴槽部と、
前記浴槽部に隣接された洗い場部と、
前記浴槽部と前記洗い場部の間でこれらと一体に形成されたエプロン部と、
前記エプロン部に１つのみ設けられ、幅が６００ｍｍ、高さが２００ｍｍ以上とされた開口部と、
前記開口部を開閉可能とする蓋部材と、
前記浴槽部及び前記洗い場部に設けられてこれらを設置面上で支持可能とされ、操作により高さを調整可能とされた支持脚と、
を有する洗い場付浴槽。
【請求項２】
前記開口部の幅が８００ｍｍ以上、高さが３００ｍｍ以上とされた請求項１に記載の洗い場付浴槽。
【請求項３】
前記エプロン部において前記開口部の周囲の縁部が、開口部の上方及び下方で高さ５０ｍｍ以下とされ、開口部の側方で幅１００ｍｍ以下とされた請求項１又は請求項２に記載の洗い場付浴槽。
【請求項４】
前記浴槽部と前記洗い場部とにこれらの下側から連結された補強部材を有する請求項１〜請求項３のいずれか１項に記載の洗い場付浴槽。
【請求項５】
請求項１〜請求項４のいずれか１項に記載の洗い場付浴槽の設置面からの高さを調整する洗い場付浴槽の高さ調整方法であって、
前記開口部を通じて前記支持脚にアクセスし支持脚の高さを調整する洗い場付浴槽の高さ調整方法。
【請求項６】
請求項５に記載の洗い場付浴槽の高さ調整方法であって、
作業者の体重を支持可能な作業台の一部を前記開口部から前記浴槽部の下方に差し入れて設置面上に置き、作業材の他の部分を洗い場付浴槽の外部に置いた状態で、作業台上に作業者が載って前記支持脚の高さを調整する洗い場付浴槽の高さ調整方法。
【発明の詳細な説明】
【技術分野】
【０００１】
本発明は、洗い場付浴槽と、この洗い場付浴槽の高さを調整するための高さ調整方法に関する。
【背景技術】
【０００２】
洗い場付浴槽として、浴槽部分と洗い場部分とをエプロン部分を介して一体的に形成し、全体としての高さを浴室の半分程度としたタイプのもの（いわゆるハーフパン）がある。このようなハーフパンの洗い場付浴槽では、洗い場付浴槽と周囲の建物壁との間に隙間がない。したがって、設置面での水平調整やレベル調整等を行う場合、洗い場付浴槽を立てかけたり裏返しにしたりして支持脚（脚ボルト）の長さを調整した上で据付し、再度調整する場合には、立てかけたり裏返したりするという作業を行う必要があり、作業性が悪かった。
【０００３】
これに対し、特許文献１には、浴槽と防水パンとを備えると共に、浴槽の手前を覆うエプロンを浴槽及び防止パンとは別体に形成したユニットバスが記載されている。このように、浴槽、防水パン及びエプロンを３分割すると、エプロンを外した状態で上記の水平調整等を行うことが可能であるが、浴槽と防水パンとば分割されているために、それぞれに支持脚が必要となり、部品数が増大する。
【０００４】
また、特許文献２には、エプロン部に作業者の片腕が充分に入る大きさの２つの点検口が形成された洗い場付き浴槽が記載されている。しかし、このように、点検口を２つ設けた構成では、点検口の大きさが制限されてしまうので、さらに作業性を高めることはできない。
【０００５】
しかも、このような構造の洗い場付浴槽における水平調整等は、作業者が洗い場に載った状態で行うが、作業者の体重が洗い場付浴槽に作用してしまうことになるため、実際には調整が難しい。
【特許文献１】実開平６―５３８１６号公報
【発明の開示】
【発明が解決しようとする課題】
【０００６】
本発明は、上記事実を考慮し、水平調整等の各種調整やメンテナンスを容易に行うことができ、部品点数も少なくて済む洗い場付浴槽と、この洗い場付浴槽の高さを調整するための高さ調整方法を得ることを目的とする。
【課題を解決するための手段】
【０００７】
請求項１に記載の発明では、浴槽が備えられた浴槽部と、前記浴槽部に隣接された洗い場部と、前記浴槽部と前記洗い場部の間でこれらと一体に形成されたエプロン部と、前記エプロン部に１つのみ設けられ、幅が６００ｍｍ、高さが２００ｍｍ以上とされた開口部と、前記開口部を開閉可能とする蓋部材と、前記浴槽部及び前記洗い場部に設けられてこれらを設置面上で支持可能とされ、操作により高さを調整可能とされた支持脚と、を有する。
【０００８】
本発明の洗い場付浴槽では、浴槽部と洗い場部との双方と一体でエプロン部が形成されている。すなわち、浴槽部、エプロン部及び洗い場部がすべて一体化されている。このため、これらが別体とされている構成と比較して支持脚の数が少なくて済む。
【０００９】
また、エプロン部には、幅が６００ｍｍ、高さが２００ｍｍ以上の開口部が設けられている。このような形状（サイズ）の開口部を設けたことで、たとえば作業者は上半身を開口部に入り込ませて、支持脚の長さ調整等を行うことができる。従来のように、調整のために洗い場付浴槽をいちいち立てかけたり裏返したりする作業が不要となるので、水平調整等の各種調整の作業やメンテナンスを容易に行うことが可能になる。
【００１０】
特に、開口部はエプロン部に１つのみ設けられているので、開口をさらに大きくすることが可能であり、これにより、さらに作業性が高くなる。たとえば、請求項２に記載のように、開口部の幅を８００ｍｍ以上、高さを３００ｍｍ以上とすれば、さらに作業性が高くなる。また、エプロン部において開口部の周囲の縁部を考えたときに、請求項３に記載のように、開口部の上方及び下方でこの縁部の高さが５０ｍｍとされ、開口部の側方で縁部の幅が１００ｍｍ以下とされていても、開口部として充分な大きさとなるので、作業性が高くなる。
【００１１】
請求項４に記載の発明では、請求項１〜請求項３のいずれか１項に記載の発明において、前記浴槽部と前記洗い場部とにこれらの下側から連結された補強部材を有する。
【００１２】
この補強部材により、浴槽部と洗い場部とがより強く連結されると共に、洗い場付浴槽の不用意な変形等を抑制できる。また、支持脚を補強部材に取り付けることで、洗い場付浴槽のより確実な支持も可能になる。
【００１３】
請求項５に記載の発明では、請求項１〜請求項４のいずれか１項に記載の洗い場付浴槽の設置面からの高さを調整する洗い場付浴槽の高さ調整方法であって、前記開口部を通じて前記支持脚にアクセスし支持脚の高さを調整する。
【００１４】
本発明の洗い場付浴槽の高さ調整方法では、請求項１〜請求項４のいずれか１項に記載の洗い場付浴槽の高さを調整するものである。この洗い場付浴槽のエプロン部には、幅が６００ｍｍ、高さが２００ｍｍ以上の開口部が設けられているので、たとえば作業者は上半身を開口部に入り込ませて、支持脚の長さ調整等を容易に行うことができる。
【００１５】
請求項６に記載の発明では、請求項５に記載の洗い場付浴槽の高さ調整方法であって、
作業者の体重を支持可能な作業台の一部を前記開口部から前記浴槽部の下方に差し入れて設置面上に置き、作業材の他の部分を洗い場付浴槽の外部に置いた状態で、作業台上に作業者が載って前記支持脚の高さを調整する。
【００１６】
本発明では、作業者の体重を支持可能な作業台を用い、この作業台の一部を開口から浴槽部の下方に差し入れて設置面上に置き、作業材の他の部分を洗い場付浴槽の外部に置いた状態で、作業台上に作業者が載って支持脚の高さを調整する。調整作業時に、作業者の体重が洗い場付浴槽に作用しないので、洗い場付浴槽の高さ調整を、容易且つ正確に行うことが可能になる。
【００１７】
なお、ここでいう「高さ調整」には、洗い場付浴槽の全体での高さを調整することも含まれるが、さらに、洗い場付浴槽の支持脚のそれぞれの長さを調整することで、洗い場付浴槽の水平調整やレベル調整等を行うことも含まれる。
【発明の効果】
【００１８】
本発明は上記構成としたので、水平調整等の各種調整やメンテナンスを容易に行うことができ、部品点数も少なくて済む洗い場付浴槽と、この洗い場付浴槽の高さを調整するための高さ調整方法が得られる。
【発明を実施するための最良の形態】
【００１９】
図１には、本発明の第一実施形態に係る洗い場付浴槽１２の全体構成が示されている。この洗い場付浴槽１２は、いわゆるハーフパンのユニットバスタイプの浴槽とされており、浴室の略半分程度の高さを有している。なお、以下において、洗い場付浴槽１２の幅方向、奥行き方向及び高さ方向を、それぞれ矢印Ｗ、矢印Ｄ及び矢印Ｈでそれぞれ示すこととする。
【００２０】
この洗い場付浴槽１２は、洗い場部１４と、浴槽部１６を備え、さらに、これら洗い場部１４と浴槽部１６とに一体成形されたエプロン部１８を有している。
【００２１】
洗い場部１４は、略平板状に形成されており、入浴者の洗い場となる。また、浴槽部１６は、浴槽２０と、その上端のフランジ部２２とが一体成形されている。そして、洗い場部１４と浴槽部１６（フランジ部２２）との間で、エプロン部１８が一体成形されており、これによって、浴槽部１６からエプロン部１８を経て洗い場部１４へと連続する洗い場付浴槽１２が構成されている。
【００２２】
洗い場部１４及び浴槽部１６において、エプロン部１８と連続する辺以外のそれぞれ３辺（合計で６辺）からは、上方に向けてフランジ辺２４が形成されており、洗い場部１４及び浴槽部１６の剛性が高められている。フランジ辺２４は、洗い場付浴槽１２が浴室に設置されたときに、浴室内壁５０（図１〜図３では図示省略、図４参照）よりも外側に位置して、水返しとして作用する。
【００２３】
本実施形態では、エプロン部１８の形状を、幅方向の中央部分が洗い場部１４から浴槽部１６に向かって凸となるように湾曲させて、湾曲部２６を構成している。この湾曲部２６により、洗い場付浴槽１２の意匠性（見栄え）が向上されると共に、洗い場部１４の面積が広く確保されている。
【００２４】
図２にも示すように、エプロン部１８には、長方形状の開口部２８が１つ設けられている。開口部２８は、図４に示すように、この洗い場付浴槽１２の水平調整等の各種調整を行う作業者ＷＰの上半身を、洗い場部１４側から浴槽部１６側へと入り込ませるができる程度の大きさが確保されている。特に本実施形態では、エプロン部１８の略全面にわたって開口部２８が設けられている。
【００２５】
図１及び図３に示すように、洗い場付浴槽１２は、開口部２８を閉塞するための蓋部材３０を有している。蓋部材３０の上辺３０Ｕには、開口部２８の上縁２８Ｕよりも浴槽２０側に入り込み、上縁２８Ｕに面接触して係合する係合部３２が形成されている。また、蓋部材３０の下辺３０Ｌは、洗い場部１４側から、開口部２８の下縁２８Ｌに面接触してボルト３４でボルト止めされるようになっている。このとき、図１から分かるように、蓋部材３０の側辺３０Ｓも、洗い場部１４側からエプロン部１８に密着している。これにより、蓋部材３０で開口部２８が完全に閉塞され、水密性が確保される。
【００２６】
洗い場部１４及び浴槽部１６の下方には、複数本（本実施形態では２本）の補強チャンネル３６が配設されている。本実施形態では、２本の補強チャンネル３６を、その長手方向が奥行き方向と一致する向きとし、幅方向に間隔をあけて配置している。この補強チャンネル３６により洗い場付浴槽１２が補強されており、不用意な変形等が抑制されている。
【００２７】
補強チャンネル３６には、１本あたり３個、全体で６個の支持脚３８が取り付けられている。補強チャンネル１本に着目すると、洗い場部１４の下方に１つ、浴槽部１６の下方に１つ、そして、これらの中間に１つの支持脚３８が配置されている。支持脚３８の下端面は、洗い場付浴槽１２の設置面に接触して、洗い場付浴槽１２を支持することができる。支持脚３８のそれぞれは、作業者が回転させることでその高さ（上下方向の長さ）を調整可能とされている。
【００２８】
次に、本実施形態の洗い場付浴槽１２の作用、及び洗い場付浴槽１２における高さ調整（特に水平調整）の方法を説明する。
【００２９】
本実施形態の洗い場付浴槽１２では、設置面上に設置した状態で、蓋部材３０を取り外して開口部２８を開放しておく。この状態で、図４に示すように、作業者ＷＰが洗い場部１４側から浴槽部１６側に向かって、上半身を開口部２８に入り込ませることができるので、支持脚３８に容易にアクセスできる。そして、支持脚３８を適切に回転させてその高さを調整することで、洗い場付浴槽１２の設置面からの高さを調整することができる。特に、支持脚３８を個別に回転させることも可能であり、これにより、洗い場付浴槽１２の水平調整（レベル調整）を行うことが可能である。
【００３０】
また、従来のように、支持脚３８の高さを調整するために、洗い場付浴槽を立てかけたり反転させたりする必要がないので、作業性に優れる。しかも、洗い場付浴槽１２を、洗い場部１４、浴槽部１６及びエプロン部１８で３分割する必要がなく、これらを一体化できるので、３分割されている構成と比較して、支持脚３８の数が少なくて済む。
【００３１】
特に、本実施形態では、洗い場付浴槽１２の水平調整等を行うにあたって、図４に示す作業台４２を用いている。この作業台４２は、洗い場部１４の奥行きよりも長い奥行きＤ２と、開口部２８の幅よりも短い幅Ｗ２を有する支持面４４と、この支持面４４の手前側及び奥側に設けられた脚部４６Ａ、４６Ｂと、を有している（奥側の脚部４６Ｂの１本は図示省略）。
【００３２】
そして、作業台４２の一部を開口部２８から入り込ませて、奥側の脚部４６Ｂを設置面上に置く。また、手前側の脚部４６Ａを、洗い場付浴槽１２の外部（たとえば、洗い場付浴槽１２と建物側壁との間や、建物の脱衣所の床面など）に置く。この状態で、作業者が支持面４４上に載って、脚部４６Ａの高さ調整を行うと、作業者の体重を洗い場付浴槽１２に作用させることなく、洗い場付浴槽１２に奥側に対しても調整作業を行うことができるので、より正確な調整が可能となる。
【００３３】
なお、本実施形態の作業台４２は、支持面４４の奥行きを伸縮可能としており、洗い場部１４の奥行きが洗い場付浴槽１２に応じて異なる場合でも、これに対応できるようにしている。また、脚部４６Ａ、４６Ｂについてもそれぞれ高さ調整可能とし、設置面から洗い場部１４までの高さの相違（あるいは、上記したように脱衣所等に脚部４６Ａをたてる場合には、脱衣所から洗い場部１４までの高さの相違）に対応できるようにしている。
【００３４】
本発明において、開口部２８から作業者が上半身を入り込ませて行う作業は、上記した支持脚３８の高さ調整（洗い場付浴槽１２の高さ調整、水平調整）に限定されない。すなわち、洗い場付浴槽１２の下方（設置面との間）や側方（浴室の側壁との間）、さらには、浴槽２０の奥側や、洗い場部１４の下側にも、作業者が容易にアクセスできるようになるので、これらの部位に配置された各種部材（配管や配線等）のメンテナンスや調整等も容易に行うことが可能である。
【００３５】
特に、洗い場付浴槽１２を設置面上に据え付けた後でも、蓋部材３０を取り外して開口部２８を開放すれば、上記した各種部材のメンテナンス、調整等を行うことが可能である。
【００３６】
また、本発明では、このように大きなサイズの開口部２８を設けているので、エプロン部１８の大きさとの関係によっては、エプロン部１８の略全面に開口部２８が設けられていることになる。この場合には、エプロン部１８が、洗い場部１４や浴槽部１６とは別体で形成されている（後付けされている）ように視認されるので、意匠性（デザイン性）をより向上させることも可能となる。
【００３７】
開口部２８の大きさは、上記したように、少なくとも作業者が上半身を入り込ませることができる程度とする必要がある。特に、エプロン部１８に開口部を複数設けた場合には、必然的にそれぞれの開口部が小さくなるので、作業者が上半身を入り込ませるだけの大きさを確保することができない。そして、開口部２８をより大きくする程、作業者の姿勢変化が容易になるので、作業性がより高くなる。
【００３８】
表１には、開口部２８の幅及び高さと、作業性との関係が示されている。
【００３９】
【表１】
2010035841.tif 000003
【００４０】
この表１の評価において、「Ｃ」は、作業者の上半身を入り込ませることができないか、もしくは、入り込ませることが可能であっても、姿勢変化が不可能であり作業性が低いことを、「Ｂ」は、作業者の上半身を入り込ませることが可能で、姿勢変化も状況等によっては可能であるため、作業性に優れていることを、「Ａ」は、「Ｂ］と比較して、さらに姿勢変化の自由度が高く、より作業性に優れていることをそれぞれ示している。この表１から、開口部２８はその幅が６００ｍｍ以上で、高さが２００ｍｍ以上とされている必要があり、さらに、この幅が８００ｍｍ以上で、高さが３００ｍｍ以上であれば、より作業性に優れることが分かる。
【００４１】
また、エプロン部１８は、あらかじめ決められた幅及び高さとされていることが多い。したがって、開口部２８の周囲（開口部２８が形成されていない縁部分）におけるエプロン部１８の高さＨ１及び幅Ｗ１（いずれも図２参照）を、それぞれ１００ｍｍ以下、５０ｍｍ以下としても、開口部２８として充分な大きさを確保でき、作業性が高くなる。
【図面の簡単な説明】
【００４２】
【図１】本発明の一実施形態に係る洗い場付浴槽を示す斜視図である。
【図２】本発明の一実施形態に係る洗い場付浴槽を蓋部材を取り外した状態で示す斜視図である。
【図３】本発明の一実施形態に係る洗い場付浴槽を図１のＩＩＩ−ＩＩＩ線で破断して示す断面図であり、（Ａ）は蓋部材を取り外した状態、（Ｂ）は蓋部材を取り付けた状態である。
【図４】本発明の一実施形態に係る洗い場付浴槽に対し水平調整を行っている状態を示す斜視図である。
【符号の説明】
【００４３】
１２  洗い場付浴槽
１４  洗い場部
１６  浴槽部
１８  エプロン部
２０  浴槽
２２  フランジ部
２４  フランジ辺
２６  湾曲部
２８  開口部
２８Ｕ      上縁
２８Ｌ      下縁
３０  蓋部材
３０Ｕ      上辺
３０Ｌ      下辺
３０Ｓ      側辺
３２  係合部
３４  ボルト
３６  補強チャンネル（補強部材）
３８  支持脚
４２  作業台
４４  支持面
４６Ａ      脚部
４６Ｂ      脚部
５０  浴室内壁
ＷＰ  作業者
【図１】
2010035841.tif 000004
【図２】
2010035841.tif 000005
【図３】
2010035841.tif 000006
【図４】
2010035841.tif 000007